(57)【要約】【課題】邪魔にならず、しかも、係止及び係止を解く操作が簡単な係止機能付の戸当りを提供する。【解決手段】扉内面の上辺、或いは内壁に植設された支持杆５と、この支持杆５の外側に摺動可能に嵌装されると共に、室内側に付勢された外筒７と、この外筒７の先端部に嵌着された弾性材質の筒体であるフード１１と、このフード１１の開口内において、支持杆５の先端に全方向に傾動可能に装着され、外面を平面に形成されると共に、外筒７の外端開口端縁と係合して室内側に付勢された永久磁石よりなる吸着マグネット１２とで戸当りを構成する。【選択図】　図２
2004124562.tif 000002
【特許請求の範囲】
【請求項１】
扉内面の上辺における自由側端縁付近、或いは閉扉時扉上辺自由端縁付近の部分と近接する内壁の部分に植設された支持杆と、この支持杆の外側に摺動可能に嵌装されると共に、室内側に付勢された外筒と、この外筒の先端部に嵌着された弾性材質の筒体であるフードと、このフードの開口内において、支持杆の先端に全方向に傾動可能に装着され、外面を平面に形成されると共に、外筒の外端開口端縁と係合して室内側に付勢された永久磁石よりなる吸着マグネットとを有することを特徴とする係止機能付扉の戸当り。
【発明の詳細な説明】
【０００１】
【発明の属する技術分野】
この発明は、係止機能付扉の戸当り（以下単に戸当りという）に係り、特に、扉を押したり引いたりする動作で扉を部屋の内壁面に係止することができる戸当りに関する。
【０００２】
【従来の技術】
戸当り１とは、例えば図１に示すように、室内の内壁２の近傍における床面に植設され、例えばゴム製で球状の頭部を有するこけしのような棒状体で、扉３を開けたときその自由端が内壁２に衝突することを防止すると共に、緩衝機能を有するものである。
【０００３】
通常の戸当りは、扉が開いた状態を保つために係止機能を有しており、例えば図１に示すように、扉の自由端縁部下辺において水平軸の回りを回動可能に支承されたＵ字杆を戸当り１に引っ掛けて扉３を係止する。
【０００４】
【発明が解決しようとする課題】
上記した構造の従来の係止機能付戸当りは、床面に植設されているので、取付場所により躓きやすく危険な場合があるばかりでなく、床面を掃除するときに邪魔になる。
【０００５】
また、床面にカーペットなどを敷くとき、戸当り１との干渉を避けるためその部分を切り欠くか穴を開けなければならない。
【０００６】
更にまた、Ｕ字杆４などを戸当り１に引っ掛けるとき、或いは外すとき、しゃがみ込まなければならないのでお年寄りや体の不自由な人にとって作業が困難である。
【０００７】
加えて、扉３が戸当り１に係止されていることを知らないで慌ててドアを閉めようとすると、各部で衝突が起るので騒音が発生する、等種々の不都合がある。
【０００８】
そこで、この発明は、合理的に設計された新規な係止機能付戸当りを提案し、以て上記した種々の不都合を解消することを目的としている。
【０００９】
【課題を解決するための手段】
上記の目的を達成するため、この発明は、扉内面の上辺における自由側端縁付近、或いは閉扉時扉上辺自由端縁付近の部分と近接する内壁の部分に植設された支持杆と、この支持杆の外側に摺動可能に嵌装されると共に、室内側に付勢された外筒と、この外筒の先端部に嵌着された弾性材質の筒体であるフードと、このフードの開口内において、支持杆の先端に全方向に傾動可能に装着され、外面を平面に形成されると共に、外筒の外端開口端縁と係合して室内側に付勢された永久磁石よりなる吸着マグネットとを有することを特徴とする。
【００１０】
【実施例】
以下、この発明の一実施例を図２乃至図４を参照して説明する。
図２及び図３において符号５は支持体を示し、図示の実施例における支持体５は細長い筒状体であって、その基端（図２で左端）に例えばねじ止めされたフランジ６を介して、扉３の内面上辺における自由側端縁付近に植設される（図３参照）。
【００１１】
この支持杆５の外側には薄肉筒状の外筒７が摺動可能に嵌装されており、この外筒７は、図２における左方の拡径内筒部と、支持杆５の外周面中央部に形成された段部との間に巻装された圧縮コイルばねとしての外筒ばね８の弾力により、室内側に、すなわち、図２で右方に付勢されている。
【００１２】
また、外筒７の室内側の先端部、すなわち、図２における左端部には、弾性材質の筒体であるフード９が嵌着されている。
【００１３】
図示の実施例におけるフード９はウレタンゴム製の厚肉短円筒体で、その内筒部に形成された突条１１を外筒７の室内側開口端縁に突き当てる態様で外筒７に装着されている。
【００１４】
フード９を外筒７に装着、固定するには、例えばフード９の内径を外筒７の外径より小さくして前者を後者に圧入する。
【００１５】
或いは、フード９を外筒７に緩く嵌装して、これらの間に接着剤を介在させることにより両者を接着する。
【００１６】
一方、上記フードの開口内における支持杆５の先端には永久磁石よりなる吸着マグネット１２が全方向に傾動可能に、換言すれば、マグネットの中心軸線が支持杆５の中心軸線を含むあらゆる平面内で傾動できるように装着されている。
【００１７】
その為、支持杆５の先端における厚肉底部には外側、すなわち室内側に向かって拡開する摺り鉢形の遊動孔が形成されると共に、支持杆５の先端外面には中高（なかだか）の、換言すれば中央部が高くなる傾斜面１４が形成されている。
【００１８】
また、厚肉円盤状の吸着マグネット１２は、その外面が平面となるように成形されており、受け皿とねじ筒とを連設してなるマグネットホルダ１５の受け皿に嵌装され、例えば接着剤によって固定されている。
【００１９】
なお、吸着マグネット１２がマグネットホルダ１５に装着された状態において、前者の外面が後者の受け皿の開口端縁と同一平面か、或いは、吸着マグネット１２の外面がマグネットホルダの受け皿より少し突出するように、吸着マグネット１２の厚さを設定するものとする。
【００２０】
上記のようにして吸着マグネット１２を担持したマグネットホルダ１５は、図２に示すように、薄肉リング状のワッシャー１６を介して、そのねじ筒を外側から支持杆の遊動孔１３に挿通させ、固定ねじ１７を支持杆５の内筒部からねじ筒に螺合させる。
【００２１】
なお、上記ワッシャー１６の外径は外筒７の内径より大きく設定されているので、マグネットホルダ１５は外筒内に落込むことはなく、図２に示すように、フード９の開口内においてワッシャー１６を介して外筒７により室内側、すなわち右方に付勢されている。
【００２２】
そのため、マグネットホルダ１５及び外筒７は支持杆５から抜け外れる方向に付勢されているが、上記固定ねじ１７の頭部が遊動孔１３の内側の開口端縁に係止されるので、状態においては図２に示す位置を保つ。
【００２３】
上記のように構成されたこの発明の一実施例による戸当りは、図３に示すように、扉３内面の上辺、望ましくは人の頭より高い位置に例えばねじにより固定する。
【００２４】
この場合、扉３を閉めたときフード１１が当接する内壁の部分に、磁性材質の板材よりなるキャッチャー１８をねじ又は両面接着テープにより固定する。
【００２５】
又は、図３のキャッチャー１８及び戸当りの位置を交換してもよく（図示せず）、この場合、扉３が鉄製であれば扉３側にキャッチャーを設ける必要はない。
【００２６】
上記のように構成されたこの発明の一実施例による戸当りは、図３から明らかなように、扉を開けて行くと戸当りのフード１１が先ずキャッチャー１８に当接する。このとき、フードがゴムなどの弾性材質であると、当りが柔らかである。
【００２７】
その侭更に扉を開けると、外筒ばね８を押し縮めつつ外筒７が扉３方向に移動し、このとき外筒ばね８の弾性変形により衝撃が緩和される。
【００２８】
同時に、外筒７の開口端縁との係合が解かれてマグネットホルダ１５が自由になり、換言すれば支持杆５の先端でブラブラと動くことができるようになり、また、フード１１が扉方向に移動するので吸着マグネット１２が露出する（図４参照）。
【００２９】
そして、同図に示すように吸着マグネット１２がキャッチャー１８に吸着し、これらの吸着により扉３が内壁２に係止される。
【００３０】
吸着マグネット１２の磁力を大きくすれば、扉３にクローザによる閉止方向の力が印加されていても、扉３を安定に係止することができる。
【００３１】
扉を閉めるときには、少し大きな力で扉３を閉止方向に引けば、吸着マグネット１２がキャッチャー１８より引き離されるから、クローザが装着されていればその作動により、装着されていなければ手により、扉３を閉めることができる。
【００３２】
吸着マグネット１２とキャッチャーとの磁気的係合が解かれれば、外筒ばね８の弾力により上記したと反対方向に外筒７が移動し、図２に示す状態に自動的に復帰する。
【００３３】
【発明の効果】
以上の説明から明らかなように、この発明は、扉内面の上辺、或いは内壁に植設された支持杆と、この支持杆の外側に摺動可能に嵌装されると共に、室内側に付勢された外筒と、この外筒の先端部に嵌着された弾性材質の筒体であるフードと、このフードの開口内において、支持杆の先端に全方向に傾動可能に装着され、外面を平面に形成されると共に、外筒の外端開口端縁と係合して室内側に付勢された永久磁石よりなる吸着マグネットとにより戸当りを構成したから、閉扉時の衝撃が外筒の付勢方向とは反対方向の移動により緩和されると共に、吸着マグネットとキャッチャーとの磁気的係合により扉を係止できる、という所期の効果を奏する。
【００３４】
また、戸当りやキャッチャーは人の頭より高いところに装着するので、邪魔になったり躓いたりすることは皆無となることは勿論、扉の係止動作、或いは係止を解く動作が簡単で使い勝手が良い、等種々の効果を奏する。
【図面の簡単な説明】
【図１】従来の戸当りを説明するための扉口の線図的平面図。
【図２】この発明の一実施例による戸当りの拡大縦断面図で、常態を示す。
【図３】この発明の一実施例による戸当りの装着の態様を示す扉口の線図的平面図。
【図４】図２と同様の戸当りの拡大縦断面図で、係止作動状態を示す。
【符号の説明】
１　戸当り
２　内壁
３　扉
５　支持杆
６　フランジ
７　外筒
８　外筒ばね
９　フード
１１　突条
１２　吸着マグネット
１３　遊動孔
１４　傾斜面
１５　マグネットホルダー
１６　ワッシャー
１７　固定ねじ
１８　キャッチャー
【図１】
2004124562.tif 000003
【図２】
2004124562.tif 000004
【図３】
2004124562.tif 000005
【図４】
2004124562.tif 000006